(57)【要約】【課題】セル構成部材の積層作業に際しての、エキスパンドメタルの表裏面の判別を正確かつ容易に行う。【解決手段】エキスパンドメタルの成形工程中、エキスパンドメタル２８の外周端近傍に、孔２８ａ、角部面取り２８ｂ等、立体的特長を有する表裏判別手段を設ける。燃料電池の製造工程中における、エキスパンドメタル２８の表裏確認作業に、表裏判別手段孔２８ａ、２８ｂを利用する。セル構成部材の積層作業に際し、マイクロスコープを用いることなく、表裏判別手段２８ａ、２８ｂを手掛かりにエキスパンドメタル２８の表裏判別を目視確認することで、エキスパンドメタル２８を、セパレータ等他のセル構成部材と共に積層する際の、エキスパンドメタル２８の表裏面の向きを、意図する向きに正確に合せて、セル構成部材を積層することができる。【選択図】図１
2010080201.tif 000002
【特許請求の範囲】
【請求項１】
セル構成部材間に配置されたエキスパンドメタルによりガス流路が形成されたセル構造を有する燃料電池の製造方法であって、
エキスパンドメタルの成形工程中、エキスパンドメタルの外周端近傍に、表裏判別手段を設け、
セル構成部材の積層作業に際し、前記表裏判別手段を手掛かりにエキスパンドメタルの表裏判別を行い、他のセル構成部材と共に積層する工程を含むことを特徴とする燃料電池の製造方法。
【請求項２】
前記表裏判別手段は、刻印、孔、突起、角部面取り等の、目視確認可能な立体的特長を有するものである請求項１記載の燃料電池の製造方法。
【請求項３】
前記表裏判別手段を、エキスパンドメタルの平板材料に予め成形を施し、又は、エキスパンドメタルの成形工程に含まれる平滑化工程又は外形カット工程において成形するものであることを特徴とする請求項２記載の燃料電池の製造方法。
【請求項４】
前記表裏判別手段を、エキスパンドメタルと隣接するセル構成部材に対するエキスパンドメタルの位置決めに用いることを特徴とする請求項２又は３記載の燃料電池の製造方法。
【発明の詳細な説明】
【技術分野】
【０００１】
本発明は、燃料電池に関するものである。
【背景技術】
【０００２】
燃料電池は、複数種類のセル構成部材が積層されることによって、最小単位であるセル（単セル）が構成され、なおかつ、セルが複数枚積層されたスタック構造となることで、必要な電圧が確保されるものである。かかるスタック構造において、各セルの最外層に位置してスタック内の各セルを区分けする部材として、板状の部品であるセパレータが用いられている。又、セパレータは、アノード側に燃料ガスをカソード側に酸化剤を各々供給する機能、セルで発電された電気の導電機能、セル内で発生する生成水の排出を行う機能等、様々な役目を担っている。
【０００３】
さて、図７には、固体高分子型燃料電池のセル構造の一例が示されている。このセル１０は、膜・電極接合体１２（Membrane Electrode Assembly：以下、「ＭＥＡ」という。）がセル１０の厚み方向の中心部に配置され、その両面に、ガス拡散層１４（アノード側/カソード側のガス拡散層１４Ａ、１４Ｃ）、ガス流路１６（アノード側/カソード側のガス流路１６Ａ、１６Ｃ）、セパレータ１８（アノード側/カソード側のセパレータ１８Ａ、１８Ｃ）が夫々配置された構造となっている。なお、ＭＥＡ１２とガス拡散層１４とが一体となった膜電極ガス拡散層接合体（ＭＥＧＡ：Membrane Electrode ＆Gas Diffusion Layer Assembly）が用いられる例もある。
そして、図７のようにガス流路１６がセパレータ１８と別体構造をなすセル１０構造においては、ガス流路１６を形成する構造物として、例えばエキスパンドメタルが用いられることで、上述の如きセパレータの機能を分担、保持している（例えば、特許文献１参照）。
【０００４】
【特許文献１】特開２００８−１０８５７３号公報
【発明の開示】
【発明が解決しようとする課題】
【０００５】
セル１０のガス流路１６を形成する構造物として用いられるエキスパンドメタル２０は、例えば、図８に示されるような亀甲形のメッシュ２２が、いわゆる千鳥配置された連続構造をなしている。このエキスパンドメタル２０は、平板材料を送りながら金型によって一段づつ切れ込みを入れることによってメッシュ２２が成形されるという製造手順（後述する）に起因して、各メッシュ２２が、材料送り方向〔（Materials）Forwarding Direction：以下、本説明において「ＦＤ方向」ともいう。〕に、階段状に連なった構造となっている。
そして、図７に示されたセル１０において、エキスパンドメタル２０は、図９に示されるようにメッシュ２２がガス拡散層１４とセパレータ１８との間に傾斜面を構成するようにして配置されることで、千鳥配置されたメッシュ２２と、ガス拡散層１４表面及びセパレータ１８表面との間に、図９に斜線部で示される三角形状の空間２４が、千鳥状に構成される。従って、ガス流路１６を流れるガスは、千鳥状に配置された三角形状の空間２４を順に伝ってＦＤ方向へと流れ、この際、ガス流ＧＦは図８に示されるように、ＦＤ方向と直交する方向〔Transverse Direction又はTool  Direction：以下、本説明において「ツール送り方向」又は「ＴＤ方向」ともいう。〕に揺動し、ターンを繰り返す態様の流れが形成される。
【０００６】
しかも、エキスパンドメタル２０の、表面と裏面の何れをガス拡散層１４又はセパレータ１８に対面させるかによって、セル１０の特性に大きな違いが生じることとなる（本説明では、「表面」と「裏面」とは、単に表裏の関係にある一方の面と他方の面とを区別する意味で用いるものであり、エキスパンドメタル２０のいずれの面を表面又は裏面とするかは、適宜決定されるものである。）。
例えば、図１０（ａ）に示されるように、アノード側のガス流入端Ａｎ−Ｉｎからガス流出端Ａｎ−Ｏｕｔへ向う方向と、エキスパンドメタル２０を構成するメッシュ２２の壁面とのなす角度θが鋭角となるように、エキスパンドメタル２０が配置される場合には、アノード側のガス流路１６Ａ中をガス流入端Ａｎ−Ｉｎからガス流出端Ａｎ−Ｏｕｔへ向けて流れるガス流ＧＦは、メッシュ２２の壁面による偏向作用により、セパレータ１８Ａに向うガス流ＧＦ１よりも、ガス拡散層１４Ａの近傍を流れてガス拡散層１４Ａに向うガス流ＧＦ２の方が、流量が増大する。この場合には、ガス拡散層１４Ａを介してＭＥＡ１２に多くの燃料ガスを供給することが可能となるが、ガス流ＧＦ２の流量が過剰となると、電極において発生する生成水の排水性が低下し、ガス拡散性の悪化により濃度過電圧の増加、電圧安定性の悪化を来たすと共に、滞留する水によるカソード側のガス流路１６Ｃの流路断面積の減少により、ガス圧損の増加を招くこととなる。
【０００７】
一方、図１０（ｂ）に示されるように、アノード側のガス流入端Ａｎ−Ｉｎからガス流出端Ａｎ−Ｏｕｔへ向う方向と、エキスパンドメタル２０を構成するメッシュ２２の壁面とのなす角度θが鈍角となるように、エキスパンドメタル２０が配置される場合、すなわち、図１０（ａ）の例とはエキスパンドメタル２０の表裏が逆の関係で配置されている場合は、ガス拡散層１４Ａに向うガス流ＧＦ２よりも、セパレータ１８Ａに向うガス流ＧＦ１の方が、流量が増大する。この場合には、図１０（ａ）の例とは逆に、ガス流ＧＦ２の流れが不足すると、ＭＥＡ１２の電解質膜が乾燥し易くなり、抵抗過電圧が大きくなってしまう。
【０００８】
従って、燃料電池セル１０の特性の最適化を図るために、エキスパンドメタル２０の表裏面の向きは重要となるが、エキスパンドメタル２０のメッシュのピッチは、一般に肉眼で視認することが困難な程細かく（例えば５００μｍ）、セル構成部材の積層作業に際し、エキスパンドメタル２０の表裏判別に細心の注意を払う必要があった。
本発明は上記課題に鑑みてなされたものであり、その目的とするところは、セル構成部材の積層作業に際しての、エキスパンドメタルの表裏面の判別を正確かつ容易に行うことを可能とし、燃料電池の製造効率の向上、燃料電池の信頼性の向上を図ることにある。
【課題を解決するための手段】
【０００９】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【００１０】
（１）セル構成部材間に配置されたエキスパンドメタルによりガス流路が形成されたセル構造を有する燃料電池の製造方法であって、エキスパンドメタルの成形工程中、エキスパンドメタルの外周端近傍に、表裏判別手段を設ける工程を含むことを特徴とする燃料電池の製造方法。
本項に記載の燃料電池の製造方法は、エキスパンドメタルの成形工程中、エキスパンドメタルの外周端近傍に、表裏判別手段を設けることで、燃料電池の製造工程中における、エキスパンドメタルの表裏確認作業に、表裏判別手段を利用するものである。
【００１１】
（２）上記（１）項において、セル構成部材の積層作業に際し、前記表裏判別手段を手掛かりにエキスパンドメタルの表裏判別を行い、他のセル構成部材と共に積層する工程を含む燃料電池の製造方法（請求項１）。
本項に記載の燃料電池の製造方法は、セル構成部材の積層作業に際し、表裏判別手段を手掛かりにエキスパンドメタルの表裏判別を目視確認することで行う。そして、エキスパンドメタルを他のセル構成部材と共に積層する際の、エキスパンドメタルの表裏面の向きを、意図する向きに正確に合せてセル構成部材を積層するものである。
【００１２】
（３）上記（２）項において、前記表裏判別手段を手掛かりにエキスパンドメタルの表裏判別を行う際に、エキスパンドメタルの四隅の定められた一隅に、前記表裏判別を設けることとし、前記表裏判別手段が四隅の何れの場所にあるかによって、表面又は裏面のいずれかを機械的に把握できるよう、エキスパンドメタルの表裏面の判別ルールを、予め定めておくものとする。
本項に記載の燃料電池の製造方法は、エキスパンドメタルの表面又は裏面のいずれかを機械的に把握できるよう、エキスパンドメタルの表裏面の判別ルールを予め定めておくことで、燃料電池の製造工程中における、エキスパンドメタルの表裏確認作業を、誰でも正確かつ円滑に行えるようにするものである。
【００１３】
（４）上記（１）から（３）項において、前記表裏判別手段は、刻印、孔、突起、角部面取り等の、目視確認可能な立体的特長を有するものである燃料電池の製造方法（請求項２）。
本項に記載の燃料電池の製造方法は、刻印、孔、突起、角部面取り等立体的特長を有する表裏判別手段を、エキスパンドメタルの成形工程中に設け、表裏判別手段を手掛かりにエキスパンドメタルの表裏判別を、目視確認により行うものである。
【００１４】
（５）上記（１）から（４）項において、前記表裏判別手段を、エキスパンドメタルの平板材料に予め成形を施し、又は、エキスパンドメタルの成形工程に含まれる平滑化工程又は外形カット工程において成形するものである燃料電池の製造方法（請求項３）。
本項に記載の燃料電池の製造方法は、表裏判別手段を、エキスパンドメタルの平板材料に予め成形を施し、又は、エキスパンドメタルの成形工程に含まれる平滑化工程又は外形カット工程において成形することにより、燃料電池の製造工程中に新たな工程を増やすことなく、表裏判別手段をエキスパンドメタルに設けるものである。
【００１５】
（６）上記（４）、（５）項において、前記表裏判別手段を、エキスパンドメタルと隣接するセル構成部材に対するエキスパンドメタルの位置決めに用いる燃料電池の製造方法（請求項４）。
本項に記載の燃料電池の製造方法は、表裏判別手段を、エキスパンドメタルと隣接するセル構成部材に対するエキスパンドメタルの位置決めにも有効活用し、エキスパンドメタルを他のセル構成部材と共に積層する際の、正確性及び作業性を向上させるものである。
【発明の効果】
【００１６】
本発明はこのように構成したので、セル構成部材の積層作業に際しての、エキスパンドメタルの表裏面の判別を正確かつ容易に行うことが可能となり、燃料電池の製造効率の向上、燃料電池の信頼性の向上を図ることができる。
【発明を実施するための最良の形態】
【００１７】
以下、本発明を実施するための最良の形態を添付図面に基づいて説明する。なお、従来技術と同一部分若しくは相当する部分については、詳しい説明を省略する。
まず、本発明を実施するための最良の形態を説明するにあたり、予め、図６を参照しながらエキスパンドメタルの各部名称を明らかにする。エキスパンドメタルは、一般的には、既に説明した亀甲形のメッシュ２２（図８、図６（ｃ）参照）や、図６（ａ）に示されるような、菱形のメッシュ２６が、いわゆる千鳥配置された連続構造をなしている。そして、メッシュの交差部をボンド部ＢＯ、メッシュのボンド部ＢＯ間をつなぐ部分をストランド部ＳＴという。又、ボンド部ＢＯのＴＤ方向の長さをボンド長さＢＯｌ、ストランド部ＳＴの厚みを刻み幅（送り幅）Ｗという。図中、符号ｔは素材の板厚、符号Ｄはエキスパンドメタルの全厚であり、この全厚Ｄが、セル構成部材間に配置された状態における、エキスパンドメタルの厚みとなる。なお、図６には、併せてＦＤ方向（材料送り方向）、ＴＤ方向（ツール送り方向）及びＷＤ方向（メッシュの刻み幅方向）を示している。
各部名称から明らかなように、亀甲形のメッシュ２２は、ボンド部ＢＯのボンド長さＢＯｌの長いメッシュ形状であり、菱形のメッシュ２６は、ボンド部ＢＯのボンド長さＢＯｌの短いメッシュ形状である。そして、菱形のメッシュ２６のＦＤ方向断面形状（Ａ−Ａ断面形状）と、亀甲形のメッシュ２２のＦＤ方向断面形状（Ａ’−Ａ’断面図）とは同一であることから、図６（ｂ）に両者のＦＤ方向断面形状を示している。
【００１８】
続いて、図１〜図５を参照しながら、本発明の実施の形態に係る燃料電池の製造方法について説明する。燃料電池の製造工程は、図１（ａ）に示されるＳ０〜Ｓ６の各工程を含むものであり、ここでは、施工順に、製造装置に平板材料をセットする準備工程（Ｓ０）、平板材料のラスカット工程（Ｓ１）、ラスカットメタルの平滑化工程（Ｓ２）、エキスパンドメタルの洗浄工程（Ｓ３）、エキスパンドメタルの外形カット工程（Ｓ４）、検査工程（Ｓ５）、セル構成部材の積層工程（Ｓ６）を、抽出して示している。
【００１９】
又、図１（ｂ）に示されるように、本発明の実施の形態に係るエキスパンドメタル２８の表裏判別手段として、孔２８ａ、角部面取り２８ｂ（刻印あるいは突起）等、立体的特長を有する部分が、平板材料に予め形成され、あるいは、ラスカットメタル２８’（図３）の平滑化工程（Ｓ１）又はエキスパンドメタル２８の外形カット工程（Ｓ４）において、成形されるものである。図１（ｂ）の例における孔２８ａは、エキスパンドメタル２８の外周端近傍に設けられるものである。
ここで特に注意する点としては、エキスパンドメタル２８がセル１０内に組み込まれ、ガス流路１６（図７〜図１０参照）を構成する際に、ガスの流れに与える悪影響ができる限り少なくなるように、外周端からの距離Ｘ、Ｙが可能な限り近い位置に孔２８ａが設けられていることが望ましい。又、角部面取り２８ｂも同様に、ガスの流れに悪影響を与えることが可能な限り少ない位置に設けられている。
【００２０】
なお、エキスパンドメタル２８の表裏判別手段としての孔２８ａ又は角部面取り２８ｂ等は、いずれか一方が一箇所に設けられていれば十分であるが、適宜、双方設けることとしても良い。
例えば、一般に外形形状が矩形をなすエキスパンドメタル２８の、四隅の定められた一隅に、孔２８ａ又は角部面取り２８ｂ等を設けることとし、図１（ｂ）の例のごとく、孔２８ａが右上にある場合には、エキスパンドメタル２８の表面（あるいは裏面）が見えていると判断する等、表裏判別手段がエキスパンドメタル２８の四隅の何れにあるかによって、表面又は裏面のいずれであるかを機械的に把握できるような、エキスパンドメタル２８の表裏面の判別ルールを、予め定めておくものとする。
【００２１】
以下に、各工程Ｓ０〜Ｓ６について、詳しく説明する。
準備工程（Ｓ０）：図３に示されるように、平板材料４２を、エキスパンドメタル２８の製造装置を構成する、ローラ３９を備えた材料送り手段にセットする。なお、平板材料４２には、エキスパンドメタル２８のセル内部での使用環境を考慮して、チタン圧延材が用いられる。そして、例えば、エキスパンドメタル２８の表裏判別手段としての孔２８ａは、平板材料４２の時点で、後の外形カット工程（Ｓ４）にて切断されるエキスパンドメタル２８の外形寸法毎に、予め一定間隔に成形しておくことが可能である。
【００２２】
平板材料のラスカット工程（Ｓ１）：エキスパンドメタル２８の製造装置を構成する金型は、図３、図４に示されるダイ３４、パッド３６、下受刃３８及び上刃４０を含む金型を備えている。ここで、下受刃３８及び上刃４０は、いずれもＴＤ方向（ＦＤ方向と直交する方向）にシフトし、かつ、上刃４０のみＷＤ方向（上下方向）に昇降するように駆動されるものである。又、上刃４０の下面には、所定形状の突起４０ａがＴＤ方向に一定間隔を空けて形成され、下受刃３８の上面にも、上刃４０の所定形状の突起４０ａと噛合うように一定間隔を空けて、台形状突起３８ａが形成されている。本例では、亀甲形のメッシュ２２（図８、図６（ｃ）参照）を成形する金型を例示していることから、少なくとも所定形状の突起４０ａは台形状の突起である。
【００２３】
平板材料４２は、所定の刻み幅Ｗ（図６（ｂ）参照）で金型へと送り込まれ、この平板材料４２の送り込みのタイミングに合せて、パッド３６は、平板材料４２が通過可能となるようＷＤ方向に昇降する。そして、図４に示されるように、ダイ３４とパッド３６により平板材料４２が挟持された状態で、上刃４０及び下受刃３８が開閉し、上刃４０の所定形状の突起４０ａとダイ３４とによって、平板材料４２は一定間隔に部分的にせん断され、かつ、下方向に突出する所定形状（台形状）の切り起しが成形される。
そして、上刃４０及び下受刃３８の上昇の都度、上刃４０及び下受刃３８がＴＤ方向にシフトすることで、台形状の切起こしが千鳥状に一段づつ成形され、階段状のメッシュ２２を有するラスカットメタル２８’を成形されるものである。
【００２４】
ラスカットメタルの平滑化工程（Ｓ２）：階段状のメッシュを有するラスカットメタル２８’を、図５に示される圧延ローラ４３によって圧延することにより、必要な全厚Ｄ（図６（ｂ）参照）のエキスパンドメタル２８が成形される。
そして、例えば、エキスパンドメタル２８の表裏判別手段としての孔２８ａ又は角部面取り２８ｂを成形するために、圧延ローラ４３の周上にこれら表裏判別手段の成形部を設け、ラスカットメタル２８’の平滑化と同時に、孔２８ａ又は角部面取り２８ｂを成形することが可能である。
【００２５】
エキスパンドメタルの洗浄工程（Ｓ３）：エキスパンドメタル２８を洗浄層に溜められた洗浄液に浸し、前述のラスカット工程（Ｓ１）で付着した潤滑油の脱脂、切子の除去等を行う。
外形カット工程（Ｓ４）：エキスパンドメタル２８を、セル構成部材としての所定の外形寸法にカットする。本工程は、レーザーカッター等を用い、若しくは、金型により行うことが可能である。そして、例えば、エキスパンドメタル２８の表裏判別手段としての孔２８ａ又は角部面取り２８ｂを、エキスパンドメタル２８の外形カットと同時に成形することが可能である。
検査工程（Ｓ５）：例えば、画像判別装置を用い、あるいはマイクロスコープを用いて、エキスパンドメタル２８の良否判断を行う。
【００２６】
セル構成部材の積層工程（Ｓ６）：表裏判別手段を手掛かりにエキスパンドメタル２８の表裏判別を行い、他のセル構成部材と共に積層する。エキスパンドメタル２８の表裏判別作業は、以下のように行う。
例えば、図２（ａ）に模式的に示されるように、作業者Ｗがスポット溶接治具上に置かれたカソード側のセパレータ１８Ｃに対峙した状態で、作業者Ｗから見てエキスパンドメタル２８の右奥に表裏判別手段としての孔２８ａが位置するよう、エキスパンドメタル２８をカソード側のセパレータ１８Ｃに置くことで、必要な面が上面に来ることとなる。同様にして、図２（ｂ）に模式的に示されるように、作業者Ｗがスポット溶接治具上に置かれたにアノード側のセパレータ１８Ａに対峙した状態で、作業者Ｗから見てエキスパンドメタル２８の左手前に表裏判別手段としての孔２８ａが位置するよう、エキスパンドメタル２８をアノード側のセパレータ１８Ａに置くことで、必要な面が上面に来ることとなる。
なお、各セパレータ１８Ａ、１８Ｃにも、スポット溶接治具上への載置姿勢に間違いを生じないようにするための、位置判別手段（例えば符号ＰＡ、ＰＣで示される突起、切り欠き等の形状的特長部分）を設けることが望ましい。
【００２７】
更に、各セパレータ１８Ａ、１８Ｃに、表裏判別手段としての孔２８ａと係合する位置決め用の突起を形成し、孔２８ａを各セパレータ１８Ａ、１８Ｃに対するエキスパンドメタル２８の位置決めに用いることとしても良い。
そして、各セパレータ１８Ａ、１８Ｃに対しエキスパンドメタル２８をスポット溶接することで両者を固定し、なおかつ、その他のセル構成部材と共に積層・固定して、セル１０を構成するものである。
なお、本発明の実施の形態では、セパレータ同士をスポット溶接する場合を一例として示しているが、これに代えて、位置決めを備える積層治具上でエキスパンドメタルを積層し、その後に、接着剤により接着を行い、あるいはガスケット成形を行うこととしてもよい。
【００２８】
さて、上記構成をなす、本発明の実施の形態によれば、次のような作用効果を得ることが可能である。即ち、エキスパンドメタルの成形工程中、エキスパンドメタル２８の外周端近傍に、孔２８ａ、角部面取り２８ｂ等、立体的特長を有する表裏判別手段を設けることで、燃料電池の製造工程中における、エキスパンドメタル２８の表裏確認作業に、表裏判別手段孔２８ａ、２８ｂを利用するものである。
このように、セル構成部材の積層作業に際し、表裏判別手段２８ａ、２８ｂを手掛かりにエキスパンドメタル２８の表裏判別を目視確認することで、マイクロスコープを用いることなく、エキスパンドメタル２８を、セパレータ１８等他のセル構成部材と共に積層する際の、エキスパンドメタル２８の表裏面の向きを、意図する向きに正確に合せて、セル構成部材を積層することができる。
【００２９】
しかも、表裏判別手段２８ａ、２８ｂを、エキスパンドメタル２８の平板材料４２に予め成形を施し、又は、エキスパンドメタルの成形工程に含まれる平滑化工程（Ｓ２）又は外形カット工程（Ｓ４）において成形することにより、燃料電池の製造工程中に新たな工程を増やすことなく、表裏判別手段２８ａ、２８ｂをエキスパンドメタルに設けることができる。
更には、表裏判別手段２８ａ、２８ｂを、エキスパンドメタル２８と隣接するセル構成部材に対するエキスパンドメタル２８の位置決めにも有効活用し、エキスパンドメタル２８を他のセル構成部材と共に積層する際の、正確性及び作業性を向上させることができる。
なお、エキスパンドメタル２８の表裏判別手段は、目視により表裏判別が可能であれば良いことから、例えば、立体的特長を有する工程に限定されることなく、エキスパンドメタル２８の表面にマーカー、ペイント等を付すものであっても良い。
【図面の簡単な説明】
【００３０】
【図１】（ａ）は、本発明の実施の形態に係る燃料電池の製造工程を示す流れ図であり、（ｂ）は、本発明の実施の形態に係るエキスパンドメタルを模式的に示した平面図である。
【図２】本発明の実施の形態に係る燃料電池の製造工程における、エキスパンドメタルの表裏判別作業の一例を示す説明図であり、（ａ）はカソード側のセパレータに対するエキスパンドメタルの表裏判別作業を、（ｂ）はアノード側のセパレータに対するエキスパンドメタルの表裏判別作業を示すものである。
【図３】本発明の実施の形態に係る燃料電池用エキスパンドメタルの製造装置に係る金型及びローラを概略的に示した側面図である。
【図４】本発明の実施の形態に係るエキスパンドメタルの製造装置に係る金型を示す斜視図である。
【図５】本発明の実施の形態に係るエキスパンドメタルの製造装置に係る圧延ローラを概略的に示した側面図である。
【図６】エキスパンドメタルの各部名称の説明図であり、（ａ）は菱形のメッシュの平面図、（ｂ）はＡ−ＡおよびＡ’−Ａ’線における断面図、（ｃ）は亀甲形のメッシュの平面図である。
【図７】従来の固体高分子型燃料電池のセル構造の一例を示す断面図である。
【図８】図７に示されるセルのガス流路を形成する、亀甲形のメッシュを備えるエキスパンドメタルの立体図である。
【図９】図８に示されたエキスパンドメタルを用いた、セルのガス流路の断面図である。
【図１０】（ａ）、（ｂ）は、図８に示されたエキスパンドメタルの設置態様に起因する、ガス流路に形成されるガス流の違いを示す断面図である。
【符号の説明】
【００３１】
１０：セル、１２：ＭＥＡ、  １４、１４Ａ、１４Ｃ：ガス拡散層、  １６、１６Ａ、１６Ｃ：ガス流路、  １８、１８Ａ、１８Ｃ：セパレータ、２２：亀甲形のメッシュ、２２ａ：バリ、２８：エキスパンドメタル、２８ａ：孔、２８ｂ：角部面取り、３４：ダイ、３６：パッド、３８：下受刃、  ３８ａ、４０ａ：所定形状の突起、３８ｂ：一般部、３９：ローラ、４０：上刃、４２：平板素材、４３：圧延ローラ
【図１】
2010080201.tif 000003
【図２】
2010080201.tif 000004
【図３】
2010080201.tif 000005
【図４】
2010080201.tif 000006
【図５】
2010080201.tif 000007
【図６】
2010080201.tif 000008
【図７】
2010080201.tif 000009
【図８】
2010080201.tif 000010
【図９】
2010080201.tif 000011
【図１０】
2010080201.tif 000012